(57)【要約】【課題】  第三者の進入を確実に防止して防犯性を高めることができ、且つ、高い利便性を備えた電気錠システムを提供すること。【解決手段】  閉じられた状態のドアを施錠・解錠する電気錠装置と、上記ドアの外側から操作される外側解錠操作手段と、上記ドアの内側から操作される内側解錠操作手段と、上記ドアに対して独立して設けられ携帯可能な電子鍵と、上記電子鍵との信号の授受に基づいて解錠許可状態とし、上記外側解錠操作手段の操作により上記電気錠装置に解錠動作を行なわせ、上記ドアが閉められることにより上記電気錠装置に施錠動作を行なわせる制御装置と、を具備し、上記制御装置は上記電気錠装置に施錠動作を行なわせた後上記電子鍵を無効化するとともにその状態を継続させるもの。【選択図】  図３
2018035511.tif 000002
【特許請求の範囲】
【請求項１】
閉じられた状態のドアを施錠・解錠する電気錠装置と、
上記ドアの外側から操作される外側解錠操作手段と、
上記ドアの内側から操作される内側解錠操作手段と、
上記ドアに対して独立して設けられ携帯可能な電子鍵と、
上記電子鍵との信号の授受に基づいて解錠許可状態とし、上記外側解錠操作手段の操作により上記電気錠装置に解錠動作を行なわせ、上記ドアが閉められることにより上記電気錠装置に施錠動作を行なわせる制御装置と、
を具備し、
上記制御装置は上記電気錠装置に施錠動作を行なわせた後上記電子鍵を無効化するとともにその状態を継続させることを特徴とする電気錠システム。
【請求項２】
請求項１記載の電気錠システムにおいて、
無効化解除操作に基づいて上記電子鍵の無効化を解除するものであることを特徴とする電気錠システム。
【請求項３】
請求項２記載の電気錠システムにおいて、
上記無効化解除操作は上記外側解錠操作手段の特殊操作又は上記電子鍵の操作であることを特徴とする電気錠システム。
【請求項４】
請求項１〜請求項３の何れかに記載の電気錠システムにおいて、
上記制御装置は解錠許可状態とした後解錠されない状態が所定時間継続した場合解錠許可状態を取り消すものであることを特徴とする電気錠システム。
【請求項５】
請求項１〜請求項４の何れかに記載の電気錠システムにおいて、
上記制御装置は上記電気錠装置に施錠動作を行なわせて上記電子鍵を無効化した後、上記内側解錠操作手段の操作により上記電気錠装置に解錠動作を行なわせると共に上記電子鍵の無効化を取り消すものであることを特徴とする電気錠システム。
【請求項６】
請求項１〜請求項５の何れかに記載の電気錠システムにおいて、
上記ドアの外側、内側にはそれぞれドアハンドルが設置されていて、上記外側解錠操作手段と上記内側解錠操作手段はこれらドアハンドルの操作に連動して操作されるものであることを特徴とする電気錠システム。
【発明の詳細な説明】
【技術分野】
【０００１】
本発明は、電気錠システムに係り、特に、第三者の進入を確実に防止して防犯性を高めることができ、且つ、高い利便性を提供することができるように工夫したものに関する。
【背景技術】
【０００２】
従来の電気錠システムの構成を開示するものとして、例えば、特許文献１、特許文献２がある。
まず、特許文献１に記載された電気錠システムには、まず、ドアがあり、このドアには複数のデッドボルトが出没可能に設置されている。これらのデッドボルトは、電動のアクチュエータによって駆動される。上記ドアの内部にはコントローラが設置されていて、このコントローラによって上記デッドボルトを駆動するアクチュエータが制御される。また、上記デッドボルトは、上記ドアの屋内側からサムターンによって使用者が手動で操作することもできる。
上記デッドボルトは常時は上記ドアから突出されており、施錠した状態としている。
上記ドアの屋外側には、解錠操作を行うためのトリガスイッチが設置されている。
また、上記電気錠システムには複数の電子鍵があり、上記コントローラからはこの電子鍵をオンにする信号が送信されている。
【０００３】
使用者がドアを通じて屋外から屋内に入る場合は、次のような処理が行われる。
上記使用者とともに電子鍵が上記コントローラの信号を受信できる距離まで接近すると、上記信号によって上記電子鍵がオンになり、上記電子鍵から上記コントローラにＩＤ情報が送信される。上記コントローラは、このＩＤ情報に基づいて認証を行い、認証可の場合のみに解錠や施錠の操作が可能な状態となる。このとき使用者はトリガスイッチを操作する。これにより、上記デッドボルトが上記ドア内に退避され解錠された状態になる。
なお、上記ＩＤは個々の電子鍵それぞれに固有のものが設定されており、上記電子鍵それぞれについて認証が行われる。
その後、使用者が屋内から上記サムターンの操作によって施錠を行うと、解錠に使用した電子鍵と上記コントローラが検出可能な範囲の電子鍵による認証が禁止された状態となる。これにより、上記電子鍵が上記コントローラの近傍にあっても、第三者が上記トリガスイッチを操作して解錠することはできなくなる。
【０００４】
また、使用者がドアを通じて屋内から屋外へ出る場合は、次のような処理が行われる。
まず、上記使用者は、サムターンを操作し、デッドボルトを上記ドア内に退避させて解錠する。この解錠されたことをコントローラが検知し、電子鍵による照合が許可された状態となる。
次に、上記使用者は上記ドアを通じて屋外へ移動し、その後、上記コントローラは電子鍵の認証を行う。この認証に成功した場合は、上記コントローラは上記デッドボルトを操作して施錠を行う。
次に、上記コントローラは、上記使用者が認証に使用した電子鍵以外の電子鍵について認証を禁止する。これにより、上記ドアを通じて屋外へ出て行った使用者以外は、解錠を行うことができなくなる。
【０００５】
また、特許文献２に記載された電気錠システムは、入退室を制限する部屋の扉を電動で施解錠する電気錠装置、識別情報を記憶した非接触媒体、この非接触媒体から識別情報を受信する室外受信部と室内受信部、上記電気錠装置の施解錠を操作する室外操作部と室内操作部、及び、上記室外受信部と室内受信部で受信した識別情報に基づいて上記電気錠装置を制御する制御ユニットから構成される。
【０００６】
上記電気錠システムにおいて、使用者がドアを通じて外側から内側に入る場合は、次のような処理が行われる。
上記非接触媒体を持った使用者が室外から上記室外受信部に接近すると、上記制御ユニットは上記非接触媒体から無線信号を受信し、これにより認証が行われる。認証が不可である場合は上記室外操作部による操作が無効とされる。
認証が正当である場合は上記室外操作部による操作が有効となり、上記使用者は上記室外操作部を操作して上記電気錠装置を解錠する。
室内に入った上記使用者は上記室内操作部を操作し、上記電気錠装置を施錠する。このとき、上記室外操作部による解錠操作が、上記識別の結果にかかわらず強制的に無効になる状態に切り換わる。これにより、第三者の入室を制限するが、上記室外操作部による解錠操作の無効化は、所定時間の経過後に解除される。
【先行技術文献】
【特許文献】
【０００７】
【特許文献１】特開２０１６−２０６０６号公報
【特許文献２】特開２０１４−１１４６５６号公報
【発明の概要】
【発明が解決しようとする課題】
【０００８】
上記従来の構成によると、次のような問題があった。
特許文献１に記載された電気錠システムでは、屋外から屋内に入った場合、屋内から施錠すると、解錠に使用した電子鍵と上記コントローラが検出可能な範囲の電子鍵による認証が禁止された状態となるので、第三者の侵入を防止することはできるが、電子鍵を持った他の使用者がいる場合には、その使用者の解錠が不可能となってしまい、利便性が低いという問題があった。
また、屋内から屋外に出た場合も、使用者が認証に使用した電子鍵以外の電子鍵について認証を禁止するので、電子鍵を持った他の使用者の解錠が不可能となってしまい、利便性が低下してしまう。
【０００９】
また、特許文献２に記載された電気錠システムでは、室内に入った使用者が施錠を行うと、室外操作部による解錠操作が識別の結果にかかわらず強制的に無効になる状態に切り換わるので、第三者の侵入を防止することはできるが、この解錠操作の無効化は所定時間経過すると解除されてしまうので、第三者の進入を確実に防止することができないという問題があった。
【００１０】
本発明はこのような点に基づいてなされたものでその目的とするところは、第三者の進入を確実に防止して防犯性を高めることができ、且つ、高い利便性を備えた電気錠システムを提供することにある。
【課題を解決するための手段】
【００１１】
上記課題を解決するべく本願発明の請求項１による電気錠システムは、閉じられた状態のドアを施錠・解錠する電気錠装置と、上記ドアの外側から操作される外側解錠操作手段と、上記ドアの内側から操作される内側解錠操作手段と、上記ドアに対して独立して設けられ携帯可能な電子鍵と、上記電子鍵との信号の授受に基づいて解錠許可状態とし、上記外側解錠操作手段の操作により上記電気錠装置に解錠動作を行なわせ、上記ドアが閉められることにより上記電気錠装置に施錠動作を行なわせる制御装置と、を具備し、上記制御装置は上記電気錠装置に施錠動作を行なわせた後上記電子鍵を無効化するとともにその状態を継続させることを特徴とするものである。
又、請求項２による電気錠システムは、請求項１記載の電気錠システムにおいて、無効化解除操作に基づいて上記電子鍵の無効化を解除するものであることを特徴とするものである。
又、請求項３による電気錠システムは、請求項２記載の電気錠システムにおいて、上記無効化解除操作は上記外側解錠操作手段の特殊操作又は上記電子鍵の操作であることを特徴とするものである。
又、請求項４による電気錠システムは、請求項１〜請求項３の何れかに記載の電気錠システムにおいて、上記制御装置は解錠許可状態とした後解錠されない状態が所定時間継続した場合解錠許可状態を取り消すものであることを特徴とするものである。
又、請求項５による電気錠システムは、請求項１〜請求項４の何れかに記載の電気錠システムにおいて、上記制御装置は上記電気錠装置に施錠動作を行なわせて上記電子鍵を無効化した後、上記内側解錠操作手段の操作により上記電気錠装置に解錠動作を行なわせると共に上記電子鍵の無効化を取り消すものであることを特徴とするものである。
又、請求項６による電気錠システムは、請求項１〜請求項５の何れかに記載の電気錠システムにおいて、上記ドアの外側、内側にはそれぞれドアハンドルが設置されていて、上記外側解錠操作手段と上記内側解錠操作手段はこれらドアハンドルの操作に連動して操作されるものであることを特徴とするものである。
【発明の効果】
【００１２】
以上述べたように本願発明の請求項１による電気錠システムによると、閉じられた状態のドアを施錠・解錠する電気錠装置と、上記ドアの外側から操作される外側解錠操作手段と、上記ドアの内側から操作される内側解錠操作手段と、上記ドアに対して独立して設けられ携帯可能な電子鍵と、上記電子鍵との信号の授受に基づいて解錠許可状態とし、上記外側解錠操作手段の操作により上記電気錠装置に解錠動作を行なわせ、上記ドアが閉められることにより上記電気錠装置に施錠動作を行なわせる制御装置と、を具備し、上記制御装置は上記電気錠装置に施錠動作を行なわせた後上記電子鍵を無効化するとともにその状態を継続させるので、上記電子鍵を所有する使用者が上記電子鍵により解錠許可状態にして解錠を行い上記ドアの外側から内側に進入した際、上記電子鍵の信号が上記制御装置によって受信可能な範囲に上記電子鍵を置き忘れた場合であっても、確実に第三者の上記ドアの内側への進入を防止でき、また、上記無効化の状態は継続されるので、第三者の進入防止効果も継続される。また、無効化される電子鍵は入室に寄与した電子鍵であるので、例えば、電子鍵が複数あって複数人が入退室するような場合に、他の電子鍵に影響を与えることはない。
又、請求項２による電気錠システムによると、請求項１記載の電気錠システムにおいて、無効化解除操作に基づいて上記電子鍵の無効化を解除するものであるので、例えば、上記使用者が上記ドアの内側に進入する前に上記ドアを閉じてしまい、上記電子鍵が無効になってしまった場合でも、予め決められた無効化解除操作を行うだけで上記電子鍵を有効にすることができ、利便性を損なわないようにできる。
又、請求項３による電気錠システムによると、請求項２記載の電気錠システムにおいて、上記無効化解除操作は上記外側解錠操作手段の特殊操作又は上記電子鍵の操作であるので、高い防犯性と利便性を備えている。
又、請求項４による電気錠システムによると、請求項１〜請求項３の何れかに記載の電気錠システムにおいて、上記制御装置は解錠許可状態とした後解錠されない状態が所定時間継続した場合解錠許可状態を取り消すものであるので、第三者の上記ドアの内側への進入を確実に防止できる。
又、請求項５による電気錠システムによると、請求項１〜請求項４の何れかに記載の電気錠システムにおいて、上記制御装置は上記電気錠装置に施錠動作を行なわせて上記電子鍵を無効化した後、上記内側解錠操作手段の操作により上記電気錠装置に解錠動作を行なわせると共に上記電子鍵の無効化を取り消すものであるので、第三者の上記ドアの内側への進入を確実に防止でき、且つ、高い利便性を備えている。
又、請求項６による電気錠システムによると、請求項１〜請求項５の何れかに記載の電気錠システムにおいて、上記ドアの外側、内側にはそれぞれドアハンドルが設置されていて、上記外側解錠操作手段と上記内側解錠操作手段はこれらドアハンドルの操作に連動して操作されるものであるので、解錠操作が簡単である。
【図面の簡単な説明】
【００１３】
【図１】本発明の一実施の形態を示す図で、電気錠システムをドアの外側から見た模式図である。
【図２】本発明の一実施の形態を示す図で、電気錠システムをドアの内側から見た模式図である。
【図３】本発明の一実施の形態を示す図で、室外から室内に入る場合に制御装置で行われる情報処理を示すフローチャートである。
【図４】本発明の一実施の形態を示す図で、室内から室外へ出る場合に制御装置で行われる情報処理を示すフローチャートである。
【図５】本発明の一実施の形態を示す図で、電子鍵で行われる処理を示すフローチャートである。
【発明を実施するための形態】
【００１４】
以下、図１乃至図５を参照して本発明の一実施の形態について説明する。まず、図１と図２に示すように、ドア３があり、このドア３の外側（図１中紙面垂直方向手前側）には、外側ドアハンドル５が設置されている。上記ドア３内には、外側解錠操作手段としての外側スイッチ７が設置されている。この外側スイッチ７は上記外側ドアハンドル５に連動して操作される。また、上記ドア３の内側（図２中紙面垂直方向手前側）には、内側ドアハンドル９が設置されている。上記ドア３内には、内側解錠操作手段としての内側スイッチ１１が設置されている。この内側スイッチ１１は上記内側ドアハンドル９に連動して操作される。
【００１５】
上記ドア３の内部には、主電気錠装置１３と副電気錠装置１５が内装されている。上記主電気錠装置１３には、主デッドボルト１７が図１中左右方向に進退可能に設置されている。上記主電気錠装置１３には、常時は上記主デッドボルト１７を上記ドア３の側面側（図１中左側）に進出するように押圧する図示しないコイルバネと、上記主デッドボルト１７を上記図示しないコイルバネの弾性力に抗して上記ドア３の内部に退避させるソレノイド１９が設置されている。
また、上記副電気錠装置１５には、副デッドボルト２１が図１中左右方向に進退可能に設置されている。上記副電気錠装置１５には、常時は上記副デッドボルト２１を上記ドア３の側面側（図１中左側）に進出するように押圧する図示しないコイルバネと、上記副デッドボルト２１を上記図示しないコイルバネの弾性力に抗して上記ドア３の内部に退避させるソレノイド２３が設置されている。
【００１６】
上記ドア３が閉じられていて、上記主デッドボルト１７と上記副デッドボルト２１の両方を進出させた状態が、施錠された状態である。また、上記主デッドボルト１７と上記副デッドボルト２１の両方を上記ドア３の内部に退避させた状態が、解錠された状態である。
【００１７】
上記ドア３の内側（図２中紙面垂直方向手前側）には、上記主デッドボルト１７を手動操作するための主デッドボルト用サムターン２５が設置されている。また、上記ドア３の内側（図２中紙面垂直方向手前側）には、上記副デッドボルト２１を手動操作するための副デッドボルト用サムターン２７が設置されている。
【００１８】
上記ドア３の内部であって側面側（図１中左側）には、ドア閉センサ２９が設置されている。このドア閉センサ２９によって、上記ドア３が閉じられているか否かが検出される。
なお、上記ドア閉センサ２９は、リミットスイッチである。
【００１９】
上記ドア３の内部には、制御装置３１が設置されている。この制御装置３１は、上記外側スイッチ７や上記内側スイッチ１１の操作に基づく上記主電気錠装置１３や上記副電気錠装置１５による解錠や、ドア閉センサ２９の検出結果に基づく上記主電気錠装置１３や上記副電気錠装置１５による施錠を制御する。また、上記制御装置３１は、上記外側スイッチ７の操作による上記主電気錠装置１３や上記副電気錠装置１５の解錠を許可するか否かも制御する。常時は、上記外側スイッチ７の操作による上記主電気錠装置１３や上記副電気錠装置１５の解錠を禁止する状態となっているが、後述する電子鍵から送信されるＩＤによる認証が成立した場合に、上記外側スイッチ７の操作による上記主電気錠装置１３や上記副電気錠装置１５の解錠を許可する解錠許可状態に切り換える。
また、上記制御装置３１は、上記ドア閉センサ２９からの信号に基づいて、上記ドア３が開いた状態から閉じられた状態になったときに自動的に施錠する。
また、上記制御装置３１には、上記電子鍵との間で信号の授受を行うためのアンテナ３３が設置されている。
【００２０】
上記電気錠システム１には、既に述べた電子鍵３５がある。この電子鍵３５は、上記制御装置３１から電子鍵状態コード「有効」が受信されると有効状態となり、上記制御装置３１から電子鍵状態コード「無効」が受信されると無効状態となる。上記電子鍵３５が有効である場合は、上記制御装置３１にＩＤを送信する。このＩＤは上記アンテナ３３を介して上記制御装置３１に受信される。上記制御装置３１は上記ＩＤに基づいて認証を行い、この認証が成立した場合のみ、既に述べたように上記外側スイッチ７の操作による上記主電気錠装置１３や上記副電気錠装置１５の解錠を許可する解錠許可状態に切り換える。また、上記電子鍵３５には、操作ボタン３５ａが設置されている。
また、上記電子鍵３５は、上記外側ドアハンドル５を介して外側スイッチ７に特殊操作（予め決められた特定の操作で、例えば、上記外側スイッチ７を連続して２回操作する）が行われた場合や、上記電子鍵３５の操作ボタン３５ａが操作された場合、及び、上記内側ドアハンドル９を介して内側スイッチ１１を操作して解錠された場合に有効状態にされ、上記外側スイッチ７の操作により解錠して上記ドア３を開いた後上記ドア３の閉鎖と施錠がされた場合や、解錠を許可した後で上記ドア３が開かれることなく所定の時間が経過した場合に無効状態にされる。
【００２１】
以上の構成を基にその作用を説明する。
最初に、図３を参照して、上記ドア３の外側（室外）にいる使用者が帰宅して、上記ドア３の内側（室内）に入る場合について説明する。
この場合、まず、ステップＳ１において、外側ドアハンドル５を介して外側スイッチ７に特殊操作が行われたか否かが判別される。上記外側スイッチ７に特殊操作が行われた場合は、ステップＳ２へ移行する。
【００２２】
上記ステップＳ２では、上記制御装置３１から上記電子鍵３５に、電子鍵状態コード「有効」が送信される。これにより、上記電子鍵３５は、有効な状態となる。その後、ステップＳ３に移行する。
上記ステップＳ１において、上記外側スイッチ７に特殊操作が行われなかった場合も、上記ステップＳ２を迂回して、上記ステップＳ３へ移行する。
なお、通常は、使用者が外側スイッチ７に特殊操作を行うことはなく、単に、有効な状態にある電子鍵３５を携帯した状態で通信可能エリア内に入ることにより、上記ステップＳ３に移行する。
【００２３】
上記ステップＳ３では、上記制御装置３１から上記電子鍵３５に対してＩＤを要求する。これにより、上記電子鍵３５が有効になっている場合は、上記電子鍵３５から上記制御装置３１にＩＤが送信され、ステップＳ４に移行する。
【００２４】
上記ステップＳ４では、上記電子鍵３５からＩＤが受信されたか否かを判別する。上記電子鍵３５からＩＤが受信されていなければ、上記ステップＳ１に戻る。上記電子鍵３５からＩＤが受信されていれば、次のステップＳ５に移行する。
【００２５】
上記ステップＳ５では、上記電子鍵３５から受信されたＩＤが上記制御装置３１に記憶されているＩＤと一致するか否かを判別する認証処理が行われる。上記電子鍵３５から受信されたＩＤが上記制御装置３１に記憶されているＩＤと一致する場合は、認証が成功し、次のステップＳ６に移行する。上記電子鍵３５から受信されたＩＤが上記制御装置３１に記憶されたＩＤと一致しない場合は、認証は失敗となり、上記ステップＳ１に戻る。
【００２６】
ステップＳ６では、上記制御装置３１は、上記外側スイッチ７の操作による上記主電気錠装置１３や上記副電気錠装置１５の解錠を許可する解錠許可状態とする。その後、次のステップＳ７に移行する。
【００２７】
上記ステップＳ７では、上記外側ドアハンドル５を介して外側スイッチ７が操作されたか否かが判別される。上記外側スイッチ７が操作された場合は、次のステップＳ８に移行する。
なお、使用者が上記外側ドアハンドル５を把持して手前に引き、ドア３を開けようとすると、連動して上記外側スイッチ７が操作される。
【００２８】
上記ステップＳ８では、上記制御装置３１によって上記主電気錠装置１３と上記副電気錠装置１５の解錠が行われる。すなわち、ソレノイド１９、２３を通電させることによって、主デッドボルト１７と副デッドボルト２１を上記ドア３内部に退避させる。その後、ステップＳ９に移行する。
なお、上記ステップＳ７で、上記使用者は上記ドア３を開けようとしているが、上記ステップＳ８で解錠されることによって、上記ドア３が開かれることになる。
【００２９】
上記ステップＳ９では、ドア３が閉じられたか否かが、ドア閉センサ２９からの信号の有無によって判別される。ドア３が閉じられていると判別された場合には、次のステップＳ１０に移行する。これに対して、上記ドア３が閉じられていないと判別された場合には、上記ステップＳ９の処理を繰り返して待機する。
【００３０】
上記ステップＳ１０では、上記制御装置３１によって主電気錠装置１３と副電気錠装置１５の施錠が行われる。すなわち、ソレノイド１９、２３への通電を停止して、主デッドボルト１７と副デッドボルト２１を図示しないコイルバネの弾性力によって上記ドア３外部に進出させる。これにより上記ドア３は施錠される。その後、ステップＳ１１に移行する。
【００３１】
上記ステップＳ１１では、上記制御装置３１から電子鍵３５に、電子鍵状態コード「無効」が送信される。これにより、上記電子鍵３５は無効な状態となる。このような処理により、例えば、電子鍵３５を、上記ドア３の内側であって上記制御装置３１による受信が可能な範囲に置き忘れた場合であっても、第三者の上記ドアの内側への進入を防止することができる。すなわち、その状態で第三者が侵入しようとすると、ステップＳ１の特殊操作、又は、電子鍵３５の操作ボタン３５ａの操作を行う必要があるが、通常、第三者はその特殊操作を知らない、又は、上記電子鍵３５を所持していないからである。
その後、処理を終了する。
【００３２】
また、上記ステップＳ７において、上記外側ドアハンドル５を介して外側スイッチ７が操作されたと判別されなかった場合は、ステップＳ１２に移行する。上記ステップＳ１２では、解錠を許可した後に所定時間が経過したか否かが判別される。所定時間が経過したと判別された場合はステップＳ１３に移行する。
【００３３】
上記ステップＳ１３では、解錠許可が取り消され、その後、上記ステップＳ１１に移行する。
【００３４】
上記ステップＳ１２で、解錠を許可した後に所定時間が経過していない場合は、上記ステップＳ７に戻る。すなわち、解錠が許可されてから、上記外側スイッチ７が操作されるか、所定時間が経過するか、何れかの条件が満たされるまで待機する。
以下、同様の処理が繰り返される。
なお、ステップＳ６において解錠許可になった後、例えば、使用者がドア３の外で別の用事を済ませていて、ステップＳ１２の所定時間が経過してしまった場合には、既に説明したように、解錠許可は取り消され（ステップＳ１３）、電子鍵３５は無効化されてしまうが（ステップＳ１１）、上記使用者はステップＳ１の特殊操作を知っているので、その特殊操作を実行することにより、上記電子鍵３５を取り出すことなく、再び、「解錠許可」（ステップＳ６）の状態にすることができる。
【００３５】
次に、図４を参照して、ドア３の内側（室内）にいる使用者が、上記ドア３の外側（室外）に外出する場合について説明する。
この場合、まず、ステップＳ２１において、上記使用者によって内側ドアハンドル９を介して内側スイッチ１１が操作されたか否かが判別される。上記内側スイッチ１１が操作された場合は、次のステップＳ２２へ移行する。上記内側スイッチ１１が操作されない場合は、上記ステップＳ２１の処理を繰り返して待機する。
なお、通常、使用者が上記内側ドアハンドル９を把持して手前に引き、ドア３を開けようとすると、連動して上記内側スイッチ１１が操作される。
【００３６】
上記ステップＳ２２では、制御装置３１によって主電気錠装置１３と副電気錠装置１５の解錠が行われる。すなわち、ソレノイド１９、２３を通電することによって、主デッドボルト１７と副デッドボルト２１をコイルスプリングのスプリング力に抗して上記ドア３内部に退避させる。その後、ステップＳ２３に移行する。
なお、上記ステップＳ２１で、上記使用者は上記ドア３を開けようとしているが、上記ステップＳ２２で解錠されることによって、上記ドア３が開かれることになる。
【００３７】
上記ステップＳ２３では、上記制御装置３１から電子鍵３５に、電子鍵状態コード「有効」が送信される。これにより、上記電子鍵３５は、有効な状態となる。その後、ステップＳ２４に移行する。
【００３８】
上記ステップＳ２４では、上記ドア３が閉じられたか否かが、ドア閉センサ２９からの信号の有無によって判別される。ドア３が閉じられていると判別された場合には、次のステップＳ２５に移行する。これに対して、上記ドア３が閉じられていない場合には、上記ステップＳ２４の処理を繰り返して待機する。
【００３９】
上記ステップＳ２５では、上記制御装置３１によって主電気錠装置１３と副電気錠装置１５の施錠が行われる。すなわち、ソレノイド１９、２３への通電を解除して、主デッドボルト１７と副デッドボルト２１を図示しないコイルバネの弾性力によって上記ドア３外部に進出させる。これにより上記ドア３は開けることができなくなる。その後、処理を終了する。
以下、同様の処理が繰り返される。
【００４０】
次に、図５を参照しながら、上記電子鍵３５の、自身が操作されることによる有効化処理について説明する。
まず、ステップＳ３１において、操作ボタン３５ａが操作されたか否かが判別される。
上記ステップＳ３１で、上記操作ボタン３５ａが操作されたと判別された場合は、ステップＳ３２に移行し、上記電子鍵３５が有効な状態になり、その後ステップＳ３３に移行する。
上記ステップＳ３１で、上記操作ボタン３５ａが操作されたと判別されなかった場合は、上記ステップＳ３３に移行する。
【００４１】
上記ステップＳ３３では、制御装置３１から信号を受信したか否かが判別される。信号を受信したと判別された場合は、ステップＳ３４に移行する。
上記ステップＳ３３で、上記制御装置３１から信号を受信しなかったと判別された場合は、上記ステップＳ３１に戻り、操作ボタン３５ａが操作されたか否かを判別する。
【００４２】
上記ステップＳ３４では、受信した信号が電子鍵ＩＤコード要求信号か否かが判別される。受信した信号が電子鍵ＩＤコードであれば、ステップＳ３５に移行する。
【００４３】
上記ステップＳ３５では、電子鍵３５の状態が有効か否かが判別される。上記電子鍵３５の状態が有効であれば、ステップＳ３６に移行する。
上記ステップＳ３６では、上記制御装置３１に対して、電子鍵ＩＤコードが送信され、その後、処理を終了する。
上記ステップＳ３５で、上記電子鍵３５の状態が無効と判別された場合は、その後、処理を終了する。
【００４４】
上記ステップＳ３４で、受信した信号が電子鍵ＩＤコード要求信号ではないと判別された場合は、ステップＳ３７に移行する。
上記ステップＳ３７では、受信した信号が電子鍵状態コードであると判別され、この電子鍵状態コードが「有効」であるか否かが判別される。上記電子鍵状態コードが「有効」である場合は、ステップＳ３８に移行する。
【００４５】
上記ステップＳ３８では、上記電子鍵３５を有効な状態とする。その後、処理を終了する。
上記ステップＳ３７で、上記電子鍵状態コードが「有効」ではないと判別された場合は、ステップＳ３９に移行する。
上記ステップＳ３９では、上記電子鍵３５を無効な状態とする。その後、処理を終了する。
以下、同様の処理が繰り返される。
【００４６】
上記ステップＳ６において解錠許可になった後、例えば、電子鍵３５を所持した使用者がドア３の外で別の用事を済ませていて、ステップＳ１２の所定時間が経過してしまった場合には、既に説明したように、解錠許可は取り消され（ステップＳ１３）、電子鍵３５は無効化されてしまうが（ステップＳ１１）、このような処理により、上記使用者は上記電子鍵３５の操作ボタン３５ａを操作するだけで、再び、「解錠許可」（ステップＳ６）の状態にすることができる。
なお、このような場合でも、上記使用者が前述した特殊操作を実行することによって、再び、「解錠許可」（ステップＳ６）の状態にすることもできる。
【００４７】
以上、本実施の形態によると次のような効果を奏することができる。
まず、第三者の進入を確実に防止して高い防犯性を提供することができる。
すなわち、ドア３の外側にいる使用者が、電子鍵３５により認証されて、上記ドア３の内側に入ってきた場合、上記電子鍵３５を無効な状態とするので、例えば、上記ドア３の内側であって上記制御装置３１による受信が可能な範囲にその電子鍵３５を置いたままにしても、無効化された上記電子鍵３５からＩＤ情報が送信されず、認証そのものが行われないので、第三者の進入は不可能となる。
また、解錠が許可されたにもかかわらず、上記外側スイッチ７による解錠操作が行われない場合は、所定時間経過後に解錠許可を取り消すとともに、上記電子鍵３５を無効にするので、この場合にも、第三者の進入を確実に防止できる。
また、電子鍵３５が無効化された状態は継続され、例えば、時間設定でその無効化された状態が解除されるようなことはなく、よって、第三者の進入を確実に防止できる。
また、電子鍵３５の無効化解除は、外側ドアハンドル５に対して使用者のみが知る特殊操作を施すことにより、又は、使用者が所持する電子鍵３５の操作ボタン３５ａの操作により、可能となり、それらの処理は第三者では不可能であり、それによって、防犯性を高めることができる。
【００４８】
また、高い利便性を提供することができる。
電子鍵３５を所持した複数の使用者のそれぞれが別々に入退室する場合には、別々に上記電子鍵３５が制御装置３１からの信号を受信可能な範囲に入れば、上記電子鍵３５のそれぞれについて個別に有効化・無効化が成される。また、上記電子鍵３５が上記制御装置３１からの信号を受信可能な範囲の外にあれば、上記電子鍵３５の有効・無効の状態はそのまま維持されている。また、電子鍵３５を所持した複数の使用者が、同時に入退室する場合であっても、同時に入退室する使用者の複数の電子鍵３５について同時に有効化・無効化が成される。すなわち、ある電子鍵３５を所持する使用者の入退室が、他の使用者の電子鍵３５の有効化・無効化に影響することはないからである。
また、電子鍵３５が無効化されても、上記使用者が上記電子鍵３５を取り出して操作しなくても、外側ドアハンドル５に対して使用者のみが知る特殊操作を施すことにより、それを解除することができるからである。
【００４９】
また、上記外側スイッチ７はドアハンドル５に連動して操作されるようになっており、内側スイッチ１１もドアハンドル９に連動して操作されるようになっているので、上記ドアハンドル５、９以外にボタン等を操作する必要がなく、解錠操作も簡単である。
また、ドア閉センサ２９からの信号に基づいて、上記ドア３が開いた状態から閉じられた状態になったときに自動的に施錠するようになっているので、施錠操作も簡単であり、施錠忘れを確実に防止できる。
【００５０】
尚、本発明は前記一実施の形態に限定されるものではない。
前記一実施の形態では、外側スイッチや内側スイッチをドア内部に設けたが、それに限定されるものではない。例えば、ドアハンドル内部に設けてもよく、要はドアハンドルに連動して操作できる構成であればよい。
また、前記一実施の形態では、外側解錠操作手段や内側解錠操作手段として、機械的に動作する外側スイッチや内側スイッチを用いたが、それに限定されるものではなく、例えば、タッチセンサ等を用いてもよい。
また、前記一実施の形態では、退室する際は認証を行っていないが、退室する際にも認証を行い、使用者が電子鍵を所持した状態であるか否か、又は、上記電子鍵が制御装置からの信号を受信できる範囲にあるか否か、を確認するようにしてもよい。このようにすることで、上記使用者が上記電子鍵を忘れて退室し、再度入室できなくなることを防止できる。
また、上記退室時の認証の代わりに、上記制御装置から上記電子鍵に電子鍵状態コード「有効」を送信した際、上記電子鍵によって上記電子鍵状態コードが正常に受信されたか否かを確認するようにしてもよい。
また、ドア閉センサはリミットスイッチであったが、これに限定されるものではなく、光学センサや磁気センサを用いてもよい。
また、前記一実施の形態では、主デッドボルトや副デッドボルトをソレノイドで駆動していたが、モータで駆動するようにしてもよい。
その他、図示した構成はあくまで一例でありそれに限定されるものではない。
【産業上の利用可能性】
【００５１】
本発明は、電気錠システムに係り、特に、第三者の進入を確実に防止して防犯性を高めることができ、且つ、高い利便性を提供することができるように工夫したものに関し、例えば、戸建住宅、集合住宅用の電気錠システムに好適である。
【符号の説明】
【００５２】
１  電気錠システム
３  ドア
５  ハンドル
７  外側スイッチ（外側解錠操作手段）
９  ハンドル
１１  内側スイッチ（内側解錠操作手段）
１３  主電気錠装置
１５  副電気錠装置
３１  制御装置
３５  電子鍵
【図１】
2018035511.tif 000003
【図２】
2018035511.tif 000004
【図３】
2018035511.tif 000005
【図４】
2018035511.tif 000006
【図５】
2018035511.tif 000007